(57)【特許請求の範囲】
【請求項１】
建具枠と、前記建具枠内に開閉可能に設けられる可動障子とを備え、第１空間と第２空間との出入り口に設けられる建具であって、
前記建具枠は、上枠と、下枠と、左右の縦枠とを備え、
前記可動障子は、上框と、下框と、左右の縦框と、面材と、錠装置とを備え、
前記建具枠の上枠および左右の縦枠は、前記可動障子を閉めた際に、前記上框および左右の縦框の前記第１空間側の見付け面を覆う被覆部を備え、
前記左右の縦框のうち戸先側の縦框は、前記第１空間側に面する第１見付け面と、前記第２空間側に面する第２見付け面と、当該第１見付け面と第２見付け面とを繋ぐ外周側見込み面と、内周側見込み面とを備え、
前記錠装置は、
前記戸先側の縦框の前記内周側見込み面において前記面材よりも第１空間側に取り付けられた第１操作部材と、
前記戸先側の縦框の前記第２見付け面に取り付けられた第２操作部材と、
前記第１操作部材および前記第２操作部材の一方の操作部材を操作した際に他方の操作部材を連動させる連動部材と、
前記連動部材を介して前記第１操作部材および前記第２操作部材が施錠操作位置に移動した際に施錠位置に移動され、かつ、前記連動部材を介して前記第１操作部材および前記第２操作部材が解錠操作位置に移動した際に解錠位置に移動されるロックボルトとを備える
ことを特徴とする建具。
【請求項２】
請求項１に記載の建具において、
前記第１操作部材は、前記連動部材に係合する第１操作部を備え、
前記第２操作部材は、前記連動部材に係合し、かつ、前記ロックボルトに係合する第２操作部とを備え、
前記第２操作部材を操作すると、前記第２操作部を介して前記連動部材が移動され、かつ、前記ロックボルトが解錠位置および施錠位置に移動され、
前記第１操作部材を操作すると、前記第１操作部を介して前記連動部材および前記第２操作部材が移動され、前記第２操作部を介して前記ロックボルトが解錠位置および施錠位置に移動される
ことを特徴とする建具。
【請求項３】
請求項２に記載の建具において、
前記錠装置は、
前記戸先側の縦框内に配置された錠ケースと、
前記錠ケース内に配置されて前記ロックボルトを縦框の外周側見込み面から突出する方向に付勢する付勢部材とを備え、
前記連動部材は、
前記錠ケース内を縦框の見込み方向にスライド移動可能に設けられ、かつ、上下方向に沿って形成された第１ガイド溝を有する第１連動部材と、
前記錠ケース内を縦框の見付け方向にスライド移動可能に設けられ、かつ、上下方向に沿って形成された第２ガイド溝を有する第２連動部材と、
前記第１連動部材と第２連動部材とに取り付けられた連結部材とを備え、
前記第１操作部材は、前記縦框の内周側見込み面に回動自在に取り付けられ、前記第１操作部は、前記第１ガイド溝に挿通される第１操作ピンで構成され、
前記第２操作部材は、前記縦框の第２見付け面に回動自在に取り付けられ、前記第２操作部は、前記第２ガイド溝に挿通される第２操作ピンで構成される
ことを特徴とする建具。
【請求項４】
請求項１から請求項３のいずれか一項に記載の建具において、
前記戸先側の縦框には、前記外周側見込み面から出没するラッチボルトと、前記内周側見込み面において前記面材よりも第１空間側に取り付けられて前記ラッチボルトを移動可能な第１ハンドルと、前記第２見付け面に取り付けられて前記ラッチボルトを移動可能な第２ハンドルとが設けられている
ことを特徴とする建具。
【発明の詳細な説明】
【技術分野】
【０００１】
本発明は、浴室と脱衣室との出入り口、建物内の部屋の出入り口、建物の出入り口等に設けられる建具に関する。
【背景技術】
【０００２】
浴室と脱衣室との出入り口用の建具として、建具枠と、この建具枠に開閉自在に支持された障子とを備える建具が知られてる（例えば、特許文献１参照）。
このような建具では、障子を施錠する際に操作するサムターン、コインロックなどのロック操作部材を、障子の框における浴室側および脱衣室側の両方の見付面に取り付けていた。
【先行技術文献】
【特許文献】
【０００３】
【特許文献１】特開２００１−２４８３４５号公報
【発明の概要】
【発明が解決しようとする課題】
【０００４】
特許文献１に示すように従来の建具では、ロック操作部材を障子の框の見付面に取り付ける必要があるため、障子の框が建具の見付面に露出していた。このため、枠および框部分に生じる段差が露出し、特に脱衣室内の内観意匠が低下するという課題がある。
このような課題は、浴室ドアに限らず、室内ドア等の障子の内外に錠を操作するロック操作部材を設けた建具においても同様である。
【０００５】
本発明の目的は、意匠性を向上でき、かつ、障子の両側から錠を開閉操作可能な建具を提供することにある。
【課題を解決するための手段】
【０００６】
本発明は、建具枠と、前記建具枠内に開閉可能に設けられる可動障子とを備え、第１空間と第２空間との出入り口に設けられる建具であって、前記建具枠は、上枠と、下枠と、左右の縦枠とを備え、前記可動障子は、上框と、下框と、左右の縦框と、面材と、錠装置とを備え、前記建具枠の上枠および左右の縦枠は、前記可動障子を閉めた際に、前記上框および左右の縦框の前記第１空間側の見付け面を覆う被覆部を備え、前記左右の縦框のうち戸先側の縦框は、前記第１空間側に面する第１見付け面と、前記第２空間側に面する第２見付け面と、当該第１見付け面と第２見付け面とを繋ぐ外周側見込み面と、内周側見込み面とを備え、前記錠装置は、前記戸先側の縦框の前記内周側見込み面において前記面材よりも第１空間側に取り付けられた第１操作部材と、前記戸先側の縦框の前記第２見付け面に取り付けられた第２操作部材と、前記第１操作部材および前記第２操作部材の一方の操作部材を操作した際に他方の操作部材を連動させる連動部材と、前記連動部材を介して前記第１操作部材および前記第２操作部材が施錠操作位置に移動した際に施錠位置に移動され、かつ、前記連動部材を介して前記第１操作部材および前記第２操作部材が解錠操作位置に移動した際に解錠位置に移動されるロックボルトとを備えることを特徴とする。
【０００７】
本発明の建具は、可動障子の上框および縦框の第１空間側の見付け面が、前記建具枠の上枠および縦枠の被覆部で覆われて隠されている。このため、可動障子の上框、縦框は、第１空間側には露出しない隠し框仕様とすることができる。このため、特に、建具の第１空間側の意匠をシンプルにでき、意匠性を向上できる。
また、可動障子の戸先側の縦框には、ロックボルトを移動可能な第１操作部材および第２操作部材が設けられているので、例えば、浴室ドアのように、脱衣室側（第１空間側）および浴室側（第２空間側）からの各操作部材の操作でロックボルトを出没させて可動障子を施錠、解錠できる。この際、第１操作部材は、戸先側の縦框における第１見付け面ではなく、内周側見込み面に取り付けているので、第１見付け面を覆う縦枠の被覆部と干渉することなく第１操作部材を配置できる。
さらに、第１操作部材および第２操作部材は、連動部材を介して互いに連動するため、一方の操作部材を解錠操作位置に移動した場合には他方の操作部材も解錠操作位置に移動し、一方の操作部材を施錠操作位置に移動した場合には他方の操作部材も施錠操作位置に移動するため、各操作部材の操作位置を常に一致させることができる。このため、例えば、浴室側の第２操作部材が浴室内の利用者によって施錠操作位置に移動されており、ロックボルトが施錠位置にある場合には、脱衣室側の第１操作部材も施錠操作位置に移動されているので、第１操作部材を解錠操作位置に移動すれば、第２操作部材が解錠操作位置に移動し、ロックボルトも解錠位置に移動するため、浴室内で事故があった場合でも、脱衣室側から第２操作部材を操作させることでロックボルトを解錠できる。
【０００８】
本発明の建具において、前記第１操作部材は、前記連動部材に係合する第１操作部を備え、前記第２操作部材は、前記連動部材に係合し、かつ、前記ロックボルトに係合する第２操作部とを備え、前記第２操作部材を操作すると、前記第２操作部を介して前記連動部材が移動され、かつ、前記ロックボルトが解錠位置および施錠位置に移動され、前記第１操作部材を操作すると、前記第１操作部を介して前記連動部材および前記第２操作部材が移動され、前記第２操作部を介して前記ロックボルトが解錠位置および施錠位置に移動されることが好ましい。
【０００９】
第２操作部材を操作した場合には、第２操作部を介して、ロックボルトを施錠位置や解錠位置に移動できるので、操作に連動して確実にロックボルトを移動できる。
また、第１操作部材を操作した場合には、第１操作部を介して連動部材が第２操作部材を移動し、この第２操作部材が移動することで、第２操作部を用いてロックボルトを移動できる。このため、第１操作部材で直接ロックボルトを移動する機構は不要であり、錠装置の構造を簡易化できる。
【００１０】
本発明の建具において、前記錠装置は、前記戸先側の縦框内に配置された錠ケースと、前記錠ケース内に配置されて前記ロックボルトを縦框の外周側見込み面から突出する方向に付勢する付勢部材とを備え、前記連動部材は、前記錠ケース内を縦框の見込み方向にスライド移動可能に設けられ、かつ、上下方向に沿って形成された第１ガイド溝を有する第１連動部材と、前記錠ケース内を縦框の見付け方向にスライド移動可能に設けられ、かつ、上下方向に沿って形成された第２ガイド溝を有する第２連動部材と、前記第１連動部材と第２連動部材とに取り付けられた連結部材とを備え、前記第１操作部材は、前記縦框の内周側見込み面に回動自在に取り付けられ、前記第１操作部は、前記第１ガイド溝に挿通される第１操作ピンで構成され、前記第２操作部材は、前記縦框の第２見付け面に回動自在に取り付けられ、前記第２操作部は、前記第２ガイド溝に挿通される第２操作ピンで構成されることが好ましい。
【００１１】
第１操作部材を回動すると、第１ガイド溝に挿通された第１操作ピンが回動方向に移動するため、錠ケースに対して第１連動部材がスライド移動され、連結部材を介して第２連動部材もスライド移動し、この第２連動部材の移動によって、第２操作部材およびロックボルトが移動する。
また、第２操作部材を回動すると、第２ガイド溝に挿通された第２操作ピンが回動方向に移動するため、錠ケースに対して第２連動部材がスライド移動され、かつ、ロックボルトが移動する。また、第２連動部材が移動することで、連結部材を介して第１連動部材もスライド移動し、この第１連動部材の移動によって、第１操作部材が移動する。
したがって、一方の操作部材を回動操作することで、他方の操作部材やロックボルトを移動できる。この際、ロックボルトを付勢部材で付勢して施錠位置に移動できるので、各操作部材の操作量を少なくできる。
【００１２】
本発明の建具において、前記戸先側の縦框には、前記外周側見込み面から出没するラッチボルトと、前記内周側見込み面において前記面材よりも第１空間側に取り付けられて前記ラッチボルトを移動可能な第１ハンドルと、前記第２見付け面に取り付けられて前記ラッチボルトを移動可能な第２ハンドルとが設けられていることが好ましい。
【００１３】
第１ハンドルおよび第１操作部材を縦框の内周側見込み面に取付け、第２ハンドルおよび第２操作部材を縦框の第２見付け面に取り付けているので、脱衣室側および浴室側の各ハンドルおよび操作部材を同じ面に設けることができる。このため、利用者にとってハンドルや操作部材の位置を把握しやすく、容易に操作できる。
【発明の効果】
【００１４】
本発明の建具によれば、意匠性を向上でき、かつ、障子の両側から錠を開閉操作可能な建具を提供することにある
【図面の簡単な説明】
【００１５】
【図１】本実施形態に係る建具である浴室ドアを浴室側から見た姿図。
【図２】本実施形態に係る建具である浴室ドアを脱衣室側から見た姿図。
【図３】前記浴室ドアの縦断面図。
【図４】前記浴室ドアの横断面図。
【図５】前記浴室ドアの上ピポットヒンジ部材を示す側面図。
【図６】前記浴室ドアの上ピポットヒンジ部材を示す正面図。
【図７】前記浴室ドアの開閉操作部材の要部を示す横断面図。
【図８】前記浴室ドアの開閉操作部材の要部を示す横断面図。
【図９】前記浴室ドアの開閉操作部材の要部を示す側面図。
【図１０】前記浴室ドアの錠装置の解錠状態を示す横断面図。
【図１１】前記浴室ドアの錠装置の施錠状態を示す横断面図。
【図１２】前記浴室ドアの錠装置を示す分解斜視図。
【図１３】前記浴室ドアの錠装置の要部を示す分解斜視図。
【図１４】本実施形態の変形例に係る建具である浴室ドアを浴室側から見た姿図。
【図１５】本実施形態の変形例に係る建具である浴室ドアの横断面図。
【発明を実施するための形態】
【００１６】
以下、本発明の実施形態に係る建具を図面に基づいて説明する。
本実施形態の建具は、第１空間である脱衣室と、第２空間である浴室との出入り口に設けられた浴室ドア１であり、図１は浴室側から見た姿図、図２は脱衣室側から見た姿図である。
【００１７】
浴室ドア１は、図３、図４にも示すように、建具枠２と、建具枠２の内部に固定された可動障子４とを備えて構成されている。
建具枠２は、上枠２１、下枠２２および縦枠２３，２４を枠組みして構成されている。
可動障子４は、上框４１、下框４２、戸先側の縦框４３、吊元側の縦框４４を枠組みした内部に、面材であるパネル４５を取り付けて構成されている。
以下、建具枠２および可動障子４の構成について詳述する。
【００１８】
［建具枠］
上枠２１は、図３に示すように、上枠本体部２１１と、上枠本体部２１１の脱衣室側端部から下方に延長された被覆部である戸当り部２１２と、戸当り部２１２の下端から脱衣室側に突出されさらに上方に折曲されて断面略Ｌ字状に形成された見切り片部２１３とを備えている。
見切り片部２１３は、脱衣室の天井材１１の下面に当接し、ネジで天井材１１に固定されている。見切り片部２１３は、天井材１１の端面と上枠２１との隙間を脱衣室から視認できないように隠している。
また、戸当り部２１２の浴室側面には、可動障子４が閉められた際に上框４１に当接する気密材２１５が取り付けられている。
【００１９】
下枠２２は、図３に示すように、下枠本体部２２１と、下枠本体部２２１から脱衣室側に延出された見切り片部２２３とを備えている。
見切り片部２２３は、脱衣室の床材１２の上面に当接し、ネジで床材１２に固定されている。見切り片部２２３は、床材１２の端面と下枠２２との隙間を脱衣室から視認できないように隠している。
下枠本体部２２１の上面には、可動障子４が閉められた際に下框４２に当接する気密材２２５が取り付けられている。
【００２０】
縦枠２３は、図４に示すように、可動障子４の戸先側に設けられる縦枠であり、縦枠本体部２３１と、縦枠本体部２３１の脱衣室側端部から他方の縦枠２４側つまり建具枠２の内周側に突出された被覆部である戸当り部２３２と、戸当り部２３２の先端から脱衣室側に突出され、さらに側方に折曲されて断面略Ｌ字状に形成された見切り片部２３３とを備えている。
見切り片部２３３は、脱衣室の壁材１３に当接し、ネジで壁材１３に固定されている。見切り片部２３３は、壁材１３の端面と縦枠２３との隙間を脱衣室から視認できないように隠している。
また、戸当り部２３２の浴室側面には、可動障子４が閉められた際に縦框４３に当接する気密材２３５が取り付けられている。
さらに、縦枠本体部２３１の内周側の見込み面、つまり縦框４３に対向する面には、後述するラッチボルトが係合される受け部材２３７が取り付けられている。
【００２１】
縦枠２４は、可動障子４の吊元側に設けられる縦枠であり、縦枠２３と同一の断面形状とされ、縦枠２３に対して線対称となる向きに設けられている。
したがって、縦枠２４は、縦枠本体部２４１と、縦枠本体部２４１の脱衣室側端部から他方の縦枠２３側、つまり建具枠２の内周側に突出された被覆部である戸当り部２４２と、戸当り部２４２の先端から脱衣室側に突出され、さらに側方に折曲されて断面略Ｌ字状に形成された見切り片部２４３とを備えている。
見切り片部２４３は、脱衣室の壁材１３に当接し、ネジで壁材１３に固定されている。見切り片部２４３は、壁材１３の端面と縦枠２４との隙間を脱衣室から視認できないように隠している。
また、戸当り部２４２の浴室側面には、可動障子４が閉められた際に縦框４４に当接する気密材２４５が取り付けられている。
【００２２】
［可動障子］
可動障子４は、上框４１と、下框４２と、縦框４３と、縦框４４を備え、縦枠２４側に配置された縦框４４側が吊元側となって建具枠２に回転自在に軸支され、縦枠２３側に配置された縦框４３側が戸先側となって浴室内に開閉される。
【００２３】
上框４１は、図３に示すように、脱衣室（第１空間）側に面する第１見付け面４１１と、浴室（第２空間）側に面する第２見付け面４１２と、第１見付け面４１１および第２見付け面４１２を繋ぐ内周側見込み面４１３と、第１見付け面４１１および第２見付け面４１２の上下方向の中間部を繋ぐ連結片４１５とを備える。
内周側見込み面４１３の浴室側端部には、パネル４５を保持する保持溝４１４が形成されている。
【００２４】
下框４２は、脱衣室側に面する第１見付け面４２１と、浴室側に面する第２見付け面４２２と、第１見付け面４２１および第２見付け面４２２を繋ぐ内周側見込み面４２３と、第１見付け面４２１および第２見付け面４２２の上下方向の中間部を繋ぐ連結片４２５とを備える。
内周側見込み面４２３の浴室側端部には、パネル４５を保持する保持溝４２４が形成されている。また、第２見付け面４２２の下端部には、下枠２２に当接する気密材４２８が装着されている。
【００２５】
戸先側の縦框４３は、図４に示すように、脱衣室側に面する第１見付け面４３１と、浴室側に面する第２見付け面４３２と、第１見付け面４３１および第２見付け面４３２を繋ぐ内周側見込み面４３３と、外周側見込み面４３５とを備え、略中空形状とされている。
内周側見込み面４３３の浴室側端部には、パネル４５を保持する保持溝部４３４が形成されている。
この戸先側の縦框４３には、後述する開閉操作部材６０および錠装置１０が設けられる。
【００２６】
吊元側の縦框４４は、脱衣室側に位置する第１見付け面４４１と、浴室側に位置する第２見付け面４４２と、第１見付け面４４１および第２見付け面４４２を繋ぐ内周側見込み面４４３と、外周側見込み面４４５とを備え、略中空形状とされている。
内周側見込み面４４３の浴室側端部には、パネル４５を保持する保持溝部４４４が形成されている。
この吊元側の縦框４４には、後述するピポットヒンジが設けられる。
【００２７】
［ピポットヒンジ］
吊元側の縦框４４は、建具枠２にピポットヒンジを用いて回動自在に支持されている。すなわち、下枠２２にはピポット軸を有するピポットヒンジ部材が固定され、縦框４４の下端には前記ピポット軸で回転自在に軸支される軸受部材が固定される。
また、上枠２１には、図５および図６に示すように、軸受部材３１が固定され、縦框４４の上端には上ピポットヒンジ部材３３が取り付けられている。
【００２８】
上枠２１に固定された軸受部材３１は、金属プレート３１０と、樹脂カバー３１５とで構成され、金属プレート３１０には前記上ピポットヒンジ部材３３が挿通される穴３１１が形成されている。
【００２９】
上ピポットヒンジ部材３３は、縦框４４の中空部に挿入されたケース３４と、前記ケース３４内に配置されたピポット軸部材３５と、ケース３４内に配置されて前記ピポット軸部材３５を上方に付勢するコイルバネ３６と、前記ピポット軸部材３５を下方にスライド移動させる着脱レバー３７とを備えている。
前記ピポット軸部材３５の下端部には、水平方向に突出するピン３５１が固定されている。ケース３４は、前記ピポット軸部材３５が挿入される円筒状のガイド筒３４１を備えており、ガイド筒３４１には前記ピン３５１が移動可能な溝３４２が形成されている。
着脱レバー３７は、縦框４４の内周側見込み面４４３に沿って配置された操作部３７１と、操作部３７１の裏面から突出し、内周側見込み面４４３に形成されたガイド溝内に挿入された移動バー３７２とを備える。移動バー３７２は、前記ピン３５１の上面に当接する。したがって、コイルバネ３６の付勢力に抗して着脱レバー３７を下方に移動すると、前記ピン３５１を介してピポット軸部材３５が下方に移動して軸受部材３１から外される。一方、着脱レバー３７の下方への移動を解除すると、ピポット軸部材３５はコイルバネ３６で上方に付勢され、軸受部材３１の穴３１１に挿入される。
【００３０】
［開閉操作部材］
開閉操作部材６０は、図４、図７、図８、図９に示すように、第１ハンドル６１と、第２ハンドル６２と、ラッチ６３とを備えている。
第１ハンドル６１は、可動障子４の脱衣室側（第１空間側）に設けられるハンドルであり、縦框４３の内周側見込み面４３３において、パネル４５よりも第１空間側に固定された軸受部６１１に回動自在に取り付けられている。第１ハンドル６１には、内周側見込み面４３３に形成された孔から縦框４３の中空部に挿入された第１係合部材６１２が取り付けられている。
【００３１】
第２ハンドル６２は、可動障子４の浴室側（第２空間側）に設けられるハンドルであり、縦框４３の第２見付け面４３２に固定された軸受部６２１に回動自在に取り付けられている。第２ハンドル６２には、第２見付け面４３２に形成された孔から縦框４３の中空部に挿入された第２係合部材６２２が取り付けられている。
【００３２】
ラッチ６３は、ケース６５と、ケース６５によって縦框４３から縦枠２３側に出没可能に案内されたラッチボルト６６と、前記ラッチボルト６６を縦框４３から縦枠２３側に突出させる方向に付勢する付勢部材であるコイルバネ６７とを備える。
ラッチボルト６６の上面には、第１ハンドル６１の第１係合部材６１２に係合可能な第１係合板部６６１と、第２ハンドル６２の第２係合部材６２２に係合可能な第２係合板部６６２とが突設されている。
【００３３】
ここで、可動障子４が閉じられて第１ハンドル６１、第２ハンドル６２が操作されていない場合には、図４に示すように、コイルバネ６７によってラッチボルト６６が縦框４３から突出し、縦枠２３の受け部材２３７に係合している。
そして、図７に示すように、第１ハンドル６１を開き方向、具体的にはパネル４５に近づく方向に操作すると、第１係合部材６１２が内周側見込み面４３３側に移動する。このため、第１係合部材６１２が第１係合板部６６１に係合し、第１係合板部６６１を介してラッチボルト６６を没入方向に移動し、コイルバネ６７も圧縮する。これにより、ラッチボルト６６が受け部材２３７から外れ、可動障子４を開くことができる。
この際、ラッチボルト６６の第２係合板部６６２は、第２ハンドル６２の第２係合部材６２２から離れるため、第２ハンドル６２は閉じ位置の状態のままに維持される。
【００３４】
同様に、可動障子４が閉じられた状態で、図８に示すように、第２ハンドル６２を開き方向、具体的にはパネル４５から離れる方向に操作すると、第２係合部材６２２が回動し、第２係合部材６２２の先端側が内周側見込み面４３３側に移動する。このため、第２係合部材６２２が第２係合板部６６２に係合し、第２係合板部６６２を介してラッチボルト６６を没入方向に移動し、コイルバネ６７も圧縮する。これにより、ラッチボルト６６が受け部材２３７から外れ、可動障子４を開くことができる。
この際、ラッチボルト６６の第１係合板部６６１は、第１ハンドル６１の第１係合部材６１２から離れるため、第１ハンドル６１は閉じ位置の状態のままに維持される。
【００３５】
各ハンドル６１，６２の開き操作を解除して元の閉じ位置に戻すと、第１係合部材６１２や第２係合部材６２２が外周側見込み面４３５側に移動するため、コイルバネ６７によってラッチボルト６６も突出方向に移動する。
なお、軸受部６１１、軸受部６２１部分に各ハンドル６１，６２を開き位置から閉じ位置に戻すバネを組み込んだり、コイルバネ６７のバネ力を設定することで、各ハンドル６１，６２から手を離すことで、自動的に各ハンドル６１，６２が閉じ位置に戻るように設定してもよい。
【００３６】
［錠装置］
錠装置１０は、図１０〜図１３に示すように、錠ケースであるケース１００と、ロックボルト１２０と、付勢部材であるコイルバネ１２５と、第１操作部材１３０と、第２操作部材１４０と、第１操作部材１３０および第２操作部材１４０を連動させる連動部材１５０と、を備えて構成されている。
この錠装置１０は、図１、図３に示すように、縦框４３において、開閉操作部材６０の上方に配置されている。
連動部材１５０は、第１操作部材１３０に係合する第１連動部材１６０と、第２操作部材１４０に係合する第２連動部材１７０と、第１連動部材１６０および第２連動部材１７０を連動可能に連結する連結部材１８０とを備える。
【００３７】
ケース１００は、図１２に示すように、縦框４３の外周側見込み面４３５にネジ止めされる縦板部１０１と、縦板部１０１から水平方向に突出されたガイド板部１０２、１０３と、ガイド板部１０２およびガイド板部１０３の端部を連結する連結板部１０４と、連結板部１０４と平行に配置された仕切り板部１０５とを備えて構成される。
縦板部１０１には、ロックボルト１２０が出没可能な開口１０６と、２箇所のネジ挿通孔１０７とが形成されている。
ガイド板部１０２には、ロックボルト１２０の出没方向（縦框４３の見付け方向）に沿って第２連動部材１７０をスライド移動可能に案内するガイド溝（図示せず）が形成され、ガイド板部１０３には、ロックボルト１２０の出没方向に沿って第２連動部材１７０をスライド移動可能に案内するガイド溝１１２が形成されている。
また、ガイド板部１０２、１０３には、前記連結板部１０４と仕切り板部１０５との間において、縦框４３の見込み方向に沿って第１連動部材１６０をスライド移動可能に案内するガイド溝１１３，１１４が形成されている。
連結板部１０４には、略四半円弧状（１／４円弧状）のガイド溝１１５が形成されている。さらに、仕切り板部１０５の縦板部１０１側の面には、コイルバネ１２５の位置を規制する突出ピン１１６が形成されている。
【００３８】
ロックボルト１２０には、係合凹部１２１と、バネ挿入孔１２２とが形成されている。係合凹部１２１は、ロックボルト１２０の突出方向に沿った２つの側面のうち、前記第２連動部材１７０に対向する側面に形成されている。係合凹部１２１は、平面形状が略直角三角形状に形成され、係合凹部１２１の内周面は、垂直面１２１Ａと、水平面１２１Ｂと、斜面１２１Ｃとを備えている。
バネ挿入孔１２２は、ロックボルト１２０の後端面、つまり仕切り板部１０５に対向する面に開口され、ロックボルト１２０の突出方向に沿って形成されている。このバネ挿入孔１２２には、前記コイルバネ１２５の先端側が挿入されている。
コイルバネ１２５は、後端側が前記突出ピン１１６に係合し、先端側が前記バネ挿入孔１２２に挿入され、ロックボルト１２０を突出方向、つまり開口１０６から突出する方向に付勢している。
開口１０６から突出したロックボルト１２０は、図１１に示すように、縦枠２３に取り付けられる受け部材２３８に係合し、可動障子４を施錠状態とする。
【００３９】
第１操作部材１３０は、縦框４３の内周側見込み面４３３において、パネル４５の脱衣室側に回動自在に取り付けられている。第１操作部材１３０は、略円板状に形成され、裏面側には前記ガイド溝１１５に挿入される第１操作部である第１操作ピン１３１が突設されている。また、第１操作部材１３０の表面側には、図３に示すように、溝１３２が形成されている。この溝１３２にコインなどを係合することで、第１操作部材１３０を回動することができる。
この際、前記第１操作ピン１３１がガイド溝１１５に挿入されているため、第１操作部材１３０の回動角度は、約９０度の範囲に制限されている。具体的には、第１操作部材１３０は、第１操作ピン１３１が回動範囲内で最も上側に位置する解錠操作位置と、第１操作ピン１３１が回動範囲内で最も第２見付け面４３２に近づく位置である施錠操作位置との間で回動可能とされている。
【００４０】
第２操作部材１４０は、縦框４３の第２見付け面４３２に回動自在に取り付けられている。第２操作部材１４０は、略円板状に形成され、裏面側には前記係合凹部１２１に係合する第２操作部である第２操作ピン１４１が突設されている。また、第２操作部材１４０の表面側にはサムターン用のツマミ１４２が形成されている。このツマミ１４２を指でつまんで操作することで、第２操作部材１４０を回動することができる。
【００４１】
第１連動部材１６０は、前述したように、ガイド溝１１３、１１４に案内されて、ケース１００内を、縦框４３の見込み方向（ロックボルト１２０の出没方向に直交する方向）に沿ってスライド移動可能とされている。第１連動部材１６０は、図１２，１３に示すように、前記第１操作ピン１３１が挿入される長溝状の第１ガイド溝１６１と、連結部材１８０が係合される係合突部１６２とが形成されている。第１ガイド溝１６１は、上下方向に延長されており、幅寸法は第１操作ピン１３１の直径と略同一である。また、第１ガイド溝１６１の高さ寸法は、第１操作部材１３０を回動した際の第１操作ピン１３１の移動軌跡の上下移動量以上に設定されている。
【００４２】
第２連動部材１７０は、第１連動部材１６０と同様の部品であり、ガイド板部１０２のガイド溝（図示せず）、および、ガイド板部１０３のガイド溝１１２に案内されて、ケース１００内を、縦框４３の見付け方向（ロックボルト１２０の出没方向）に沿ってスライド移動可能とされている。
第２連動部材１７０は、前記第２操作ピン１４１が挿入される長溝状の第２ガイド溝１７１と、連結部材１８０が係合される係合突部１７２とが形成されている。第２ガイド溝１７１は、上下方向に延長されており、幅寸法は第２操作ピン１４１の直径と略同一である。また、第２ガイド溝１７１の高さ寸法は、第２操作部材１４０を回動した際の第２操作ピン１４１の移動軌跡の上下移動量以上に設定されている。
【００４３】
連結部材１８０は、板バネで構成されている。連結部材１８０は、係合突部１６２、１７２に係合する係合孔１８１、１８２と、前記第２操作ピン１４１が挿通される上下方向に延長された長溝１８３とが形成されている。連結部材１８０は、互いに直交配置される第１連動部材１６０、第２連動部材１７０に取り付けられており、中間部分が略９０度の角度に湾曲されている。
ここで、第１操作部材１３０を回動し、第１操作ピン１３１の移動に伴い第１連動部材１６０がスライド移動すると、板バネである連結部材１８０は湾曲部分を変位させながら移動し、第２連動部材１７０および第２操作部材１４０が移動する。
同様に、第２操作部材１４０を回動し、第２操作ピン１４１の移動に伴い第２連動部材１７０がスライド移動すると、板バネである連結部材１８０は湾曲部分を変位させながら移動し、第１連動部材１６０および第１操作部材１３０が移動する。
【００４４】
［解錠状態］
浴室ドア１の錠装置１０は、通常は、図１０に示すように、ロックボルト１２０が開口１０６内に没している解錠位置に設定されている。この解錠位置では、浴室側の第２操作部材１４０はツマミ１４２が上下方向に沿った向きとされ、第２操作ピン１４１は移動軌跡の中でも最も上方に位置しており、つまり第２操作ピン１４１は縦板部１０１から最も離れた位置にある。このため、第２操作ピン１４１は、ロックボルト１２０の係合凹部１２１において、垂直面１２１Ａの上端部および斜面１２１Ｃの上端部の接続部分に位置しており、ロックボルト１２０は垂直面１２１Ａが第２操作ピン１４１に当接する位置、つまり開口１０６内に没入した解錠位置に移動している。
また、第２連動部材１７０は、スライド移動範囲の中で、最も開口１０６から離れた位置に移動されており、連結部材１８０を介して第２連動部材１７０と連動する第１連動部材１６０も、スライド移動範囲の中で、最も第１見付け面４３１に近づく位置に移動されている。この際、第１操作部材１３０は、第１操作ピン１３１が移動軌跡の中でも最も上方に位置しており、つまり第１操作ピン１３１が最も第１見付け面４３１に近づく位置である解錠操作位置にある。なお、この解錠操作位置にある第１操作部材１３０の溝１３２は、第２操作部材１４０のツマミ１４２と同じく上下方向に沿った向きとされている。
【００４５】
［施錠操作］
次に、浴室内で入浴する利用者が浴室側から第２操作部材１４０を操作して施錠した場合の動作について説明する。
利用者が第２操作部材１４０のツマミ１４２をつまんで施錠操作位置に操作すると、具体的には左周りに９０度回転させると、第２操作ピン１４１が開口１０６側および下方側に移動する。ロックボルト１２０はコイルバネ１２５で開口１０６側に付勢されているので、第２操作ピン１４１が下方に移動すると、第２操作ピン１４１が係合凹部１２１の斜面１２１Ｃに沿って移動し、ロックボルト１２０が開口１０６側に移動する。第２操作ピン１４１は、最終的に斜面１２１Ｃの下端部と水平面１２１Ｂの端部との接続部分に移動する。この際、図１１に示すように、ロックボルト１２０は最も開口１０６から突出する施錠位置に移動する。
このロックボルト１２０が施錠位置に位置する場合、第２操作ピン１４１が第２ガイド溝１７１内を移動することで、第２連動部材１７０も最も開口１０６に近づく位置に移動し、連結部材１８０および第１連動部材１６０も連動して移動する。
このため、第２操作部材１４０は、ツマミ１４２が水平に沿った方向となる施錠操作位置に移動し、第１操作部材１３０は、溝１３２が水平に沿った方向となる施錠操作位置に移動する。
【００４６】
［浴室内からの解錠操作］
浴室内の入浴者が脱衣室に移動するために解錠操作を行う場合は、第２操作部材１４０のツマミ１４２を右回りに９０度回転させて解錠操作位置に移動する。すると、第２操作ピン１４１が斜面１２１Ｃに沿って上方および開口１０６から離れる方向に移動し、ロックボルト１２０が開口１０６から離れる方向に移動し、コイルバネ１２５は押しつぶされる。そして、図１０に示すように、ロックボルト１２０は解錠位置に移動する。
また、第２操作部材１４０の第２操作ピン１４１が開口１０６から離れる方向に移動することで、第２連動部材１７０も開口１０６から離れる解錠位置に移動し、連結部材１８０を介して第１連動部材１６０も第１見付け面４３１に近づく解錠位置に移動する。
この場合、第２操作部材１４０は、ツマミ１４２が垂直に沿った方向となる解錠操作位置に移動し、第１操作部材１３０は、溝１３２が垂直に沿った方向となる解錠操作位置に移動する。
【００４７】
［脱衣室からの解錠操作］
また、浴室内の利用者が第２操作部材１４０を操作できない場合には、他の利用者が脱衣室側の第１操作部材１３０を操作して錠装置１０を解錠することができる。
すなわち、第１操作部材１３０の溝１３２にコインなどを差し込み、第１操作部材１３０を右周りに回転して解錠操作位置に移動する。すると、第１操作ピン１３１が第１見付け面４３１側に移動し、第１連動部材１６０が第１見付け面４３１に近づく解錠位置に移動する。
第１連動部材１６０の移動に連動して、連結部材１８０を介して第２連動部材１７０も開口１０６から離れる解錠位置に移動し、第２連動部材１７０の第２ガイド溝１７１に挿入されている第２操作ピン１４１に開口１０６から離れる方向の力が加わり、第２操作部材１４０は解錠操作位置に回転する。
この回転に連動して、第２操作ピン１４１が斜面１２１Ｃに沿って上方に移動し、この移動に伴いロックボルト１２０は解錠位置に移動する。
この場合、第２操作部材１４０は、ツマミ１４２が垂直に沿った方向となる解錠操作位置に移動し、第１操作部材１３０は、溝１３２が垂直に沿った方向となる解錠操作位置に移動する。
これにより、第２操作部材１４０を操作しなくても、脱衣室側から第１操作部材１３０を操作することで、錠装置１０を解錠することができる。
【００４８】
［脱衣室からの施錠操作］
脱衣室側から第１操作部材１３０を操作して施錠することで、錠装置１０をチャイルドロックとして利用することもできる。
この場合は、第１操作部材１３０の溝１３２にコインなどを差し込み、第１操作部材１３０を左周りに回転して施錠操作位置に操作すると、第１操作ピン１３１が第２見付け面４３２側に移動し、第１操作ピン１３１によって第１連動部材１６０が第２見付け面４３２側の施錠位置に移動する。すると、連結部材１８０および第２連動部材１７０が開口１０６側に移動し、第２操作ピン１４１が第２連動部材１７０の第２ガイド溝１７１に案内されて、開口１０６側および下方側に移動する。このため、第２操作部材１４０を操作した場合と同様に、第２操作ピン１４１が係合凹部１２１の斜面１２１Ｃに沿って下方に移動し、ロックボルト１２０がコイルバネ１２５によって開口１０６から突出する施錠位置に移動する。
これにより、浴室ドア１の錠装置１０を脱衣室側からロックでき、子供が浴室内に入ることを防止できる。
【００４９】
このような本実施形態によれば、以下のような効果がある。
建具である浴室ドア１は、可動障子４の上框４１および縦框４３，４４の脱衣室（第１空間）側の第１見付け面４１１、４３１、４４１が、建具枠２の上枠２１および縦枠２３，２４の被覆部である戸当り部２１２、２３２、２４２で覆われて隠されている。このため、可動障子４の上框４１、縦框４３，４４は、脱衣室側に露出しない隠し框仕様とすることができる。このため、特に、浴室ドア１の脱衣室側の意匠をシンプルにでき、意匠性を向上できる。すなわち、図２に示すように、浴室ドア１において、脱衣室の天井材１１、床材１２、壁材１３で囲まれる開口部分に露出する部分は、パネル４５の他は、第１ハンドル６１と、下框４２程度であるため、浴室ドア１の脱衣室側の姿図が非常にシンプルになり、意匠性を向上できる。
【００５０】
可動障子４の錠装置１０は、脱衣室側および浴室側に設けられた第１操作部材１３０および第２操作部材１４０の各操作でロックボルト１２０を出没でき、施錠および解錠を脱衣室側および浴室側の両方から行うことができる。したがって、本実施形態の建具は、脱衣室（第１空間）側からの第１操作部材１３０の操作と、浴室（第２空間）側からの第２操作部材１４０の操作の両方で、錠装置１０の施錠・解錠を行うことができる浴室ドア１として用いることができる。
この際、第１操作部材１３０は、縦框４３の第１見付け面４３１ではなく、内周側見込み面４３３に取り付けているので、縦框４３の第１見付け面４３１を被覆する縦枠２３の戸当り部２３２と干渉することなく第１操作部材１３０を配置できる。
さらに、第１操作部材１３０は、溝１３２にコインなどを差し込んで操作するコインロックタイプであるため、操作ツマミが突出することがなく、脱衣室側から見たときに、第１操作部材１３０は戸当り部２３２で隠されるため、この点でも浴室ドア１の意匠性を向上できる。
【００５１】
第１ハンドル６１および第１操作部材１３０を縦框４３の内周側見込み面４３３に取付け、第２ハンドル６２および第２操作部材１４０を縦框４３の第２見付け面４３２に取り付けているので、脱衣室側および浴室側の各ハンドルおよび操作部材を同じ面に設けることができる。このため、利用者にとってハンドルや操作部材の位置を把握しやすく、容易に操作できる。
【００５２】
第１操作部材１３０および第２操作部材１４０は、連動部材１５０によって連動するため、第２操作部材１４０が施錠操作位置であれば、第１操作部材１３０も施錠操作位置となる。このため、第２操作部材１４０が操作されて浴室ドア１が施錠されている場合に、第１操作部材１３０を施錠操作位置から解錠操作位置に移動することができ、錠装置１０を脱衣室側から確実に解錠することができる。したがって、浴室内で事故が発生した場合のような緊急時に、脱衣室側から第１操作部材１３０を解錠操作することで、錠装置１０を容易に解錠できて迅速に救助できる。
【００５３】
連動部材１５０として、ケース１００に対してスライド移動される第１連動部材１６０および第２連動部材１７０と、第１連動部材１６０および第２連動部材１７０を連結する連結部材１８０とで構成したので、第１操作部材１３０および第２操作部材１４０の回動操作を各連動部材１６０，１７０のスライド移動動作に安定して変換することができる。したがって、ロックボルト１２０もスムーズに出没させることができる。
【００５４】
連結部材１８０として板バネを用いたので、互いに９０度の角度で交差する向きに配置された第１連動部材１６０および第２連動部材１７０を、１つの部品で連動して移動させることができる。したがって、連動部材１５０の部品数を少なくでき、部品コストや組立コストも低減できる。
【００５５】
可動障子４は、第１ハンドル６１および第２ハンドル６２を備えているので、脱衣室側および浴室側からの各ハンドル操作で縦枠２３に係合しているラッチボルト６６を外して可動障子４を開閉できる。したがって、本実施形態の建具は、脱衣室（第１空間）側からのハンドル操作と、浴室（第２空間）側からのハンドル操作の両方で可動障子４を開閉することが必要な建具である浴室ドア１として用いることができる。
この際、第１ハンドル６１は、縦框４３の第１見付け面４３１ではなく、内周側見込み面４３３に取り付けているので、縦框４３の第１見付け面４３１を被覆する縦枠２３の戸当り部２３２と干渉することなく第１ハンドル６１を配置できる。
【００５６】
第１ハンドル６１、第２ハンドル６２は、それぞれ独立してラッチボルト６６を出没させることができるので、一方のハンドル操作時に他方のハンドルも連動して移動させる場合に比べて、ハンドル６１，６２を操作する力を小さくでき、操作性を向上できる。
さらに、第１係合部材６１２と第１係合板部６６１との係合状態と、第２係合部材６２２と第２係合板部６６２との係合状態とを個別に調整できるので、縦框４３への第１ハンドル６１、第２ハンドル６２、ラッチ６３の組み込み作業を容易に行うことができる。
【００５７】
第１ハンドル６１および第２ハンドル６２は、各ハンドルの開き操作の方向と、可動障子４の開き方向とが共に脱衣室側から浴室側へ向かう方向で一致しているので、各ハンドルの開き操作をしながら、可動障子４を開くことができ、操作性を向上できる。
【００５８】
可動障子４を建具枠２から着脱する際に用いるピポットヒンジの着脱レバー３７も、縦框４４の第１見付け面４４１ではなく、内周側見込み面４４３に配置しているので、着脱レバー３７が縦枠２４の戸当り部２４２と干渉することがない。このため、縦框４４の第１見付け面４４１も、縦枠２４の戸当り部２４２で被覆することができる。
【００５９】
また、建具枠２の上枠２１、縦枠２４の脱衣室側は、天井材１１、壁材１３で覆われており、見切り片部２１３、２４３部分のみが露出するだけである。さらに、建具枠２の下枠２２の脱衣室側も、見切り片部２２３部分が露出するだけである。
したがって、脱衣室側から浴室ドア１を見た際に、各枠も殆ど露出しないため、浴室ドア１の意匠性をより向上できる。
【００６０】
［変形例］
本発明は、以上の実施形態で説明した構成のものに限定されず、本発明の目的を達成できる範囲での変形例は、本発明に含まれる。
第１操作部材１３０、第２操作部材１４０と、ロックボルト１２０との連動機構は前記実施形態の構成に限定されない。例えば、前記実施形態の連動部材１５０では、板バネで連結部材１８０を構成していたが、ケース１００にローラーを取付け、このローラーで９０度方向に曲げられるワイヤーロープを第１連動部材１６０、第２連動部材１７０に固定して連動部材を構成してもよい。ただし、ワイヤーロープおよびローラーが必要なため、板バネのみで構成できる前記連結部材１８０のほうが組立性やコストの点で有利である。
【００６１】
さらに、錠装置１０の第１操作部材１３０、第２操作部材１４０は、回動操作するものに限定されず、スライド移動させるものでもよい。
また、ロックボルト１２０は、コイルバネ１２５で施錠位置側に付勢していたが、コイルバネ１２５を設けずに、第２操作部材１４０と一体的に出没するように構成してもよい。ただし、コイルバネ１２５を用いれば、第２操作部材１４０の移動量に比べてロックボルト１２０の移動量を大きくでき、第１操作部材１３０、第２操作部材１４０の操作量を小さくできる利点がある。さらに、縦枠２３と縦框４３とのチリ寸法が、施工状態によっては通常納まり時よりも大きくなってしまった場合でも、受け部材２３８に対するロックボルト１２０のかかり量を一定量確保できる。
【００６２】
第１ハンドル６１、第２ハンドル６２と、ラッチボルト６６との連動機構も前記実施形態の構成に限定されない。例えば、前記実施形態では、各ハンドル６１，６２が直接ラッチボルト６６に係合していたが、一方のハンドルは他方のハンドルを介してラッチボルトに係合するように構成してもよい。
【００６３】
前記実施形態の浴室ドア１の可動障子４は、ラッチ６３を移動させる第１ハンドル６１、第２ハンドル６２を備えたものであったが、図１４、図１５に示すように、パネル４５に直付けされたハンドル６１Ａ、６２Ａを備える可動障子４Ａを用いた浴室ドア１Ａとしてもよい。この浴室ドア１Ａの縦框４３には、錠装置１０のほかに、ローラーラッチを組み込めばよい。
また、建具としては、浴室ドア１に限定されず、建物内の部屋の出入り口等に設けられる室内ドアや、建物の外壁開口部分に設けられるドアなどでもよい。
【符号の説明】
【００６４】
１…建具である浴室ドア、２…建具枠、４、４Ａ…可動障子、１０…錠装置、２１…上枠、２２…下枠、２３…縦枠、２４…縦枠、４１…上框、４２…下框、４３…戸先側の縦框、４４…吊元側の縦框、４５…面材であるパネル、６０…開閉操作部材、６１…第１ハンドル、６２…第２ハンドル、６３…ラッチ、６５…ケース、６６…ラッチボルト、６７…コイルバネ、１００…ケース、１２０…ロックボルト、１２５…付勢部材であるコイルバネ、１３０…第１操作部材、１３１…第１操作部である第１操作ピン、１４０…第２操作部材、１４１…第２操作部である第２操作ピン、１５０…連動部材、１６０…第１連動部材、１６１…第１ガイド溝、１７０…第２連動部材、１７１…第２ガイド溝、１８０…連結部材、２１２、２３２、２４２…被覆部である戸当り部、２３７、２３８…受け部材、４１１、４３１、４４１…第１見付け面、４１２、４２２、４３２…第２見付け面、４１３、４２３、４３３…内周側見込み面、４３５、４４５…外周側見込み面、６１２…第１係合部材、６２２…第２係合部材、６６１…第１係合板部、６６２…第２係合板部。
【図１】
0006419002.tif 000002
【図２】
0006419002.tif 000003
【図３】
0006419002.tif 000004
【図４】
0006419002.tif 000005
【図５】
0006419002.tif 000006
【図６】
0006419002.tif 000007
【図７】
0006419002.tif 000008
【図８】
0006419002.tif 000009
【図９】
0006419002.tif 000010
【図１０】
0006419002.tif 000011
【図１１】
0006419002.tif 000012
【図１２】
0006419002.tif 000013
【図１３】
0006419002.tif 000014
【図１４】
0006419002.tif 000015
【図１５】
0006419002.tif 000016